(57)【要約】      （修正有）【課題】操作リングの回転操作時にクリック感を得ることが可能で回転状態を検出可能な電子機器を提供する。【解決手段】電子機器は、操作リング１０５に対して回転規制された状態で操作リング１０５に嵌合され、一端部にクシ歯形状部１０６ａが設けられた円筒部材１０６と、円筒部材１０６と光沢度が異なる材料で形成され、クシ歯形状部１０６ａと軸方向に対向した状態で操作リング１０５に嵌合され、クシ歯形状部１０６ａに係合するクシ歯形状部１０４ａが設けられた円筒部材１０４と、複数のクリック溝部１０７ａが形成され、円筒部材１０４を回転可能に保持するベース部材１０７と、ベース部材１０７に設けられ、操作リング１０５の回転状態を検出する反射型光センサ１１１とを備える。センサ１１１は、クシ歯形状部１０４ａ，１０６ａが係合し合う位置に対向配置され、円筒部材１０６には、クリック溝部１０７ａに係合する弾性突起部１０６ｂが設けられる。【選択図】図１
2016224294.tif 000002
【特許請求の範囲】
【請求項１】
回転操作が可能な操作リングと、
前記操作リングに対して回転が規制された状態で前記操作リングの内周部に嵌合され、一方の端部に、軸方向に突出する複数の突出部が回転方向に連続して配置された第１のクシ歯形状部が設けられた第１の円筒部材と、
前記第１の円筒部材と反射率が異なる材料で形成されて、前記第１のクシ歯形状部と前記操作リングの軸方向に対向した状態で前記操作リングの内周部に嵌合され、前記第１のクシ歯形状部に係合する第２のクシ歯形状部が設けられた第２の円筒部材と、
複数のクリック溝部が前記操作リングの回転方向に沿って形成され、前記第２の円筒部材を回転可能に保持するベース部材と、
前記ベース部材に設けられ、前記操作リングの回転状態を検出する反射型光学センサと、を備え、
前記反射型光学センサは、前記第１のクシ歯形状部と前記第２のクシ歯形状部とが互いに係合する位置に径方向に対向して配置され、
前記第１の円筒部材には、前記クリック溝部に係合する弾性突起部が設けられていることを特徴とする電子機器。
【請求項２】
前記第１の円筒部材は、前記第２の円筒部材に比べて反射率が高い材料で形成されていることを特徴とする請求項１に記載の電子機器。
【請求項３】
前記第１の円筒部材は、金属材料で形成され、前記第２の円筒部材は、合成樹脂材料で形成されていることを特徴とする請求項２に記載の電子機器。
【請求項４】
前記第１のクシ歯形状部と前記第２のクシ歯形状部との間には、径方向の段差が設けられて、前記第２のクシ歯形状部より前記第１のクシ歯形状部が前記反射型光学センサに接近して配置されていることを特徴とする請求項２又は３に記載の電子機器。
【請求項５】
前記ベース部材は、撮像装置のレンズ鏡筒の外周部に配置されることを特徴とする請求項１乃至４のいずれか一項に記載の電子機器。
【発明の詳細な説明】
【技術分野】
【０００１】
本発明は、例えばデジタルカメラやデジタルビデオカメラ等の撮像装置を含む電子機器に関する。
【背景技術】
【０００２】
デジタルカメラ等の撮像装置では、小型化・高機能化が進み、コンパクトサイズのカメラにおいても、レンズ鏡筒に外周部に設けられた操作リングを回転操作することにより、ズーム操作やシャッタ速度等の各種設定値を変更可能にしたものがある。
【０００３】
従来のこの種の撮像装置において、操作リングと一体となって回転する環状部材の回転方向と回転量を検出する検出手段と、操作リングを回転操作したときに、操作リングの回転方向にクリック感を発生させるクリック機構とを備えるものが提案されている。この提案では、検出手段及びクリック機構は、レンズ鏡筒と装置本体の底面との間に形成されるスペースに配置されている（特許文献１）。
【先行技術文献】
【特許文献】
【０００４】
【特許文献１】特開２０１１−３９３８５号公報
【発明の概要】
【発明が解決しようとする課題】
【０００５】
しかし、上記特許文献１では、環状部材のフランジ部にクリック機構及び検出手段を配置するため、レンズ鏡筒の径方向へのスペースが必要となり、特に装置本体の高さ方向のサイズアップの要因となっている。また、クリック機構にボールやバネ、バネ保持部材等の部品が必要となるため、部品点数が増加して低コスト化を妨げる原因になっている。
【０００６】
そこで、本発明は、大型化を招くことなく、操作リングの回転状態を検出することができ、更には、クリック機構の部品点数を削減して低コスト化を図りつつ、操作リングの回転操作時にクリック感を得ることができる電子機器を提供することを目的とする。
【課題を解決するための手段】
【０００７】
上記目的を達成するために、本発明の電子機器は、回転操作が可能な操作リングと、前記操作リングに対して回転が規制された状態で前記操作リングの内周部に嵌合され、一方の端部に、軸方向に突出する複数の突出部が回転方向に連続して配置された第１のクシ歯形状部が設けられた第１の円筒部材と、前記第１の円筒部材と反射率が異なる材料で形成されて、前記第１のクシ歯形状部と前記操作リングの軸方向に対向した状態で前記操作リングの内周部に嵌合され、前記第１のクシ歯形状部に係合する第２のクシ歯形状部が設けられた第２の円筒部材と、複数のクリック溝部が前記操作リングの回転方向に沿って形成され、前記第２の円筒部材を回転可能に保持するベース部材と、前記ベース部材に設けられ、前記操作リングの回転状態を検出する反射型光学センサと、を備え、前記反射型光学センサは、前記第１のクシ歯形状部と前記第２のクシ歯形状部とが互いに係合する位置に径方向に対向して配置され、前記第１の円筒部材には、前記クリック溝部に係合する弾性突起部が設けられていることを特徴とする。
【発明の効果】
【０００８】
本発明によれば、大型化を招くことなく、操作リングの回転状態を検出することができるとともに、クリック機構の部品点数を削減して低コスト化を図りつつ、操作リングの回転操作時にクリック感を得ることができる。
【図面の簡単な説明】
【０００９】
【図１】本発明の電子機器の実施形態の一例であるデジタルカメラのフロントカバーユニットの分解斜視図である。
【図２】フロントカバーユニットの内部構造を示す斜視図である。
【図３】（ａ）は軸受部材の側面図、（ｂ）は軸受部材の正面図である。
【図４】（ａ）はクリックプレートの正面図、（ｂ）はクリックプレートの側面図である。
【図５】ズームリングにクリックプレートが固定された状態を示す斜視図である。
【図６】ズームリングにクリックプレート及び軸受部材が固定された状態を示す斜視図である。
【図７】（ａ）はズームリングの側面図、（ｂ）は（ａ）のＡ−Ａ線断面図である。
【図８】図７（ｂ）のＢ部拡大図である。
【図９】（ａ）はフロントカバーユニットを正面側から見た図、（ｂ）は（ａ）に示すフロントカバーユニットの上面図である。
【図１０】図９（ａ）のＣ−Ｃ線断面図である。
【発明を実施するための形態】
【００１０】
以下、図面を参照して、本発明の実施形態の一例を説明する。
【００１１】
図１は、本発明の電子機器の実施形態の一例であるデジタルカメラのフロントカバーユニットの分解斜視図である。なお、本実施形態では、電子機器としてデジタルカメラを例示するが、デジタルカメラ以外の撮像装置やその他の電子機器であってもよい。
【００１２】
図１に示すフロントカバーユニットは、被写体側から像面側に向けてキャップ１０１、Ｏリング１０２、フォーカスリング１０３、軸受部材１０４、ズームリング１０５、クリックプレート１０６、フロントカバー１０８及びベース部材１０７を有する。ズームリング１０５は、本発明の操作リングの一例に相当する。
【００１３】
Ｏリング１０２は、ゴム材料で形成され、キャップ１０１に形成された不図示の溝部に嵌め込まれて固定される。軸受部材１０４は、円筒状に形成され、フォーカスリング１０３とズームリング１０５の間に配置されて、ズームリング１０５に対して回転規制された状態で固定される。フォーカスリング１０３とズームリング１０５の外周部には、ユーザが把持して回転操作しやすいようにローレット加工が施されている。
【００１４】
クリックプレート１０６は、円筒状に形成され、ズームリング１０５に対して回転規制される。フロントカバー１０８は、例えばアルミニウム等の金属材料を絞り加工して形成され、カメラ本体の正面側の外装を形成する。フロントカバー１０８の背面側には、ポリカーボネート等の合成樹脂材料で成形されたインナーベース１０９が接着等により固定されている。また、フロントカバー１０８の正面側から見て左側には、グリップ１１０が固定されている。
【００１５】
ベース部材１０７は、アルミニウム等の金属材料で円筒状に形成され、インナーベース１０９にビス１１３等を介して固定される。また、ベース部材１０７には、ズームリング１０５の回転位置を検出するためのフォトリフレクタ１１１がホルダ部材１１２によって固定される。
【００１６】
本実施形態では、上記構成によって、デジタルカメラのフロントカバーユニットを構成している。
【００１７】
図２は、フロントカバーユニットの内部構造を示す斜視図である。図２に示すように、フロントカバー１０８の背面側には、インナーベース１０９が固定され、インナーベース１０９には、ベース部材１０７の像面側端部が固定されている。ベース部材１０７のフロントカバー１０８から正面側に突出する部分の外周部には、フォーカスリング１０３及びズームリング１０５が回転操作可能に保持されている。
【００１８】
ベース部材１０７のズームリング１０５に対応する位置には、不図示の開口部が形成され、開口部には、フォトリフレクタ１１１が設けられている。フォトリフレクタ１１１は、フレキシブルケーブル１１４を介して不図示の基板に接続されて信号を伝達する。
【００１９】
フォトリフレクタ１１１は、ズームリング１０５の内周側に形成された検出パターンからの反射光による入力信号を検知することでズームリング１０５の回転方向及び回転量の検出を行っている。フォトリフレクタ１１１は、本発明の反射型光学センサの一例に相当する。
【００２０】
図３（ａ）は軸受部材１０４の側面図、図３（ｂ）は軸受部材１０４の正面図である。図３に示すように、軸受部材１０４の一方の端部には、軸方向に突出する複数の突出部を円周方向に略等間隔で連続して配置することにより、クシ歯形状部１０４ａが形成されている。クシ歯形状部１０４ａを構成する複数の突出部は、４５個配置され、また、円周方向に互いに隣り合う各突出部の間の溝部も４５個配置されている。
【００２１】
図４（ａ）はクリックプレート１０６の正面図、図４（ｂ）はクリックプレート１０６の側面図である。図４に示すように、クリックプレート１０６についても、軸受部材１０４と同様に、一方の端部には、軸方向に突出する複数の突出部を円周方向に略等間隔で連続して配置することにより、クシ歯形状部１０６ａが形成されている。クシ歯形状部１０６ａを構成する複数の突出部も、軸受部材１０４と同様に、４５個配置され、また、円周方向に互いに隣り合う各突出部の間の溝部も４５個配置されている。
【００２２】
クリックプレート１０６は、一枚の板金を曲げ成形することで形成され、図４（ａ）に示すように、周方向の一部には、スリット形状部１０６ｄが形成されている。これにより、絞り等の複雑な加工を行うことなく部品が加工できるため、コストを抑えることが可能となる。また、クリックプレート１０６の周壁には、後述するクリック機構を構成する板ばね状の弾性突起部１０６ｂ、及び軸方向の抜け止め形状部１０６ｃが設けられている。
【００２３】
図５は、ズームリング１０５にクリックプレート１０６が固定された状態を示す斜視図である。図６は、ズームリング１０５にクリックプレート１０６及び軸受部材１０４が固定された状態を示す斜視図である。
【００２４】
図５に示すように、ズームリング１０５の内周部には、突起部１０５ａ及び係止爪１０５ｂが形成され、クリックプレート１０６がクシ歯形状部１０６ａを被写体側に向けた状態で嵌合される。かかる嵌合状態では、ズームリング１０５の突起部１０５ａにクリックプレート１０６のスリット形状部１０６ｄが係合することで回転方向の位置決めが行われる。また、ズームリング１０５の係止爪１０５ｂにクリックプレート１０６の抜け止め形状部１０６ｃが係止されることで軸方向の位置決めが行われる。
【００２５】
図６に示すように、軸受部材１０４は、クシ歯形状部１０４ａを像面側に向けた状態でズームリング１０５の被写体側開口からズームリング１０５の内周部に嵌合されて、クリックプレート１０６に対してズームリング１０５の軸方向に対向配置される。このとき、軸受部材１０４のクシ歯形状部１０４ａの複数の突出部及び溝部は、それぞれズームリング１０５の軸方向の略中央部の位置でクリックプレート１０６のクシ歯形状部１０４ａの複数の溝部及び突出部に係合する。これにより、軸受部材１０４の回転方向の規制が行われる。
【００２６】
クシ歯形状部１０４ａ，１０６ａが互いに係合する位置には、フォトリフレクタ１１１が径方向に対向配置される。この状態で、ズームリング１０５が回転操作されると、クリックプレート１０６と軸受部材１０４も一体に回転する。
【００２７】
そして、フォトリフレクタ１１１によりクシ歯形状部１０４ａ，１０６ａからの反射光を受光することにより、ズームリング１０５の回転方向及び回転量の検出を行う。なお、図６では、説明の便宜上、ホルダ部材１１２、及びベース部材１０７の図示は省略している。
【００２８】
ここで、軸受部材１０４は、合成樹脂材料により形成され、クシ歯形状部１０４ａの表面には、反射率を低くするためにシボ加工が施されている。軸受部材１０４は、本発明の第２の円筒部材の一例に相当し、クシ歯形状部１０４ａは、本発明の第２のクシ歯形状部の一例に相当する。
【００２９】
一方、クリックプレート１０６は、クシ歯形状部１０６ａの表面の反射率が高くなるように反射率の高い金属材料で形成している。本実施形態では、クシ歯形状部１０６ａに表面の反射率を高くするため、ステンレス板金を使用してクリックプレート１０６を形成している。
【００３０】
これにより、塗装や蒸着等の特別な表面処理を行うことなく、ズームリング１０５の内周部にフォトリフレクタ１１１による検出を行うための明暗の検出パターンを形成することが可能となる。クリックプレート１０６は、本発明の第１の円筒部材の一例に相当し、クシ歯形状部１０６ａは、本発明の第１のクシ歯形状部の一例に相当する。
【００３１】
図７（ａ）はズームリング１０５の側面図、図７（ｂ）は図７（ａ）のＡ−Ａ線断面図である。図８は、図７（ｂ）のＢ部拡大図である。
【００３２】
図８に示すように、フォトリフレクタ１１１は、ホルダ部材１１２によって保持されている。なお、図７（ｂ）及び図８では、説明の便宜上、ホルダ部材１１２を固定するベース部材１０７の図示は省略している。フォトリフレクタ１１１は、ズームリング１０５の回転方向に互いに離間して配置される２つの素子１１１ａを有する。クシ歯形状部１０４ａ，１０６ａの明暗の検出パターンからの反射光をそれぞれの素子１１１ａが受光し、入力された波形パターンからズームリング１０５の回転量及び回転方向の検出を行う。
【００３３】
ところで、フォトリフレクタ１１１が反射光を受光する際には、明部と暗部の反射率の差が小さいと検出エラーを起こす懸念があるため、可能な限り反射率の差が大きいことが望まれる。
【００３４】
本実施形態では、クシ歯形状部１０６ａの表面とクシ歯形状部１０４ａの表面との間に径方向の段差を設けて、暗部であるクシ歯形状部１０４ａより明部であるクシ歯形状部１０６ａをフォトリフレクタ１１１に接近させている。これにより、クシ歯形状部１０６ａの表面の反射率を高く設定することが可能となり、明部と暗部の反射率の差を大きくすることができる。
【００３５】
次に、図９及び図１０を参照して、ズームリング１０５の回転操作時にクリック感を付与するクリック機構について説明する。
【００３６】
図９（ａ）はフロントカバーユニットを正面側から見た図、図９（ｂ）は図９（ａ）に示すフロントカバーユニットの上面図である。図１０は、図９（ａ）のＣ−Ｃ線断面図である。
【００３７】
図１０に示すように、軸受部材１０４は、ベース部材１０７に対してクリックプレート１０６及びズームリング１０５と一体となって回転可能に保持されている。軸受部材１０４の外周部には、ズームリング１０５の被写体側の内周部が嵌合されている。ズームリング１０５の像面側の外周部は、インナーベース１０９の内周部に対して回転可能に支持されている。
【００３８】
また、ズームリング１０５に対して回転規制されたクリックプレート１０６の板ばね状の弾性突起部１０６ｂは、クリックプレート１０６の径方向内側に突出して配置され、ベース部材１０７のクリック溝部１０７ａに係合した状態となっている。この状態でズームリング１０５を回転操作すると、弾性突起部１０６ｂがクリック溝部１０７ａを乗り越えてクリック感を発生させる。
【００３９】
クリック溝部１０７ａは、図１に示すように、ベース部材１０７の外周部に周方向に所定間隔で複数形成されているため、ズームリング１０５の回転操作時に所定角度でクリック感を発生させて停止させることが可能となる。
【００４０】
以上説明したように、本実施形態では、ズームリング１０５の内周部で軸受部材１０４のクシ歯形状部１０４ａとクリックプレート１０６のクシ歯形状部１０６ａとを係合させることにより、フォトリフレクタ１１１の検出パターンを形成している。これにより、デジタルカメラの大型化を招くことなく、ズームリング１０５の回転状態の検出を行うことができる。
【００４１】
また、本実施形態では、クリックプレート１０６に形成された板ばね状の弾性突起部１０６ｂをベース部材１０７のクリック溝部１０７ａに対して係合させることで、ズームリング１０５を回転操作したときにクリック感を発生させることができる。これにより、クリック機構のためのボールやバネ、バネホルダ等が不要となり、クリック機構の部品点数を削減して低コスト化を図りつつ、ズームリング１０５の回転操作時にクリック感を得ることができる。
【００４２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４３】
１０４  軸受部材
１０４ａ  クシ歯形状部
１０５  ズームリング
１０６  クリックプレート
１０６ａ  クシ歯形状部
１０６ｂ  弾性突起部
１０７  ベース部材
１０７ａ  クリック溝部
１１１  フォトリフレクタ
【図１】
2016224294.tif 000003
【図２】
2016224294.tif 000004
【図３】
2016224294.tif 000005
【図４】
2016224294.tif 000006
【図５】
2016224294.tif 000007
【図６】
2016224294.tif 000008
【図７】
2016224294.tif 000009
【図８】
2016224294.tif 000010
【図９】
2016224294.tif 000011
【図１０】
2016224294.tif 000012